(57)【要約】      （修正有）【課題】車椅子ステップの開閉を、車椅子の使用者が手元で操作するための車椅子ステップの開閉機構及び車椅子ステップの開閉ユニットを提供する。【解決手段】車椅子ステップの開閉機構として、車椅子ＷのステップＳの回転軸よりも下方に開口が形成される穴からなる第一連通路と、前記ステップの回転軸よりも上方に開口が形成される穴からなる第二連通路と、前記第一連通路及び前記第二連通路を通り、当該第一連通路と当該第二連通路との間において、前記ステップの回転軸より先端側に一部が固定される、ループ状に形成されるワイヤー１０とから構成する。【選択図】図４
0003190717.tif 000002
【実用新案登録請求の範囲】
【請求項１】
車椅子のステップの回転軸よりも下方に開口が形成される穴からなる第一連通路と、
前記ステップの回転軸よりも上方に開口が形成される穴からなる第二連通路と、
前記第一連通路及び前記第二連通路を通り、当該第一連通路の前記開口と当該第二連通路の前記開口との間において、前記ステップの回転軸より先端側に一部が固定される、ループ状に形成されるワイヤーと
を有する車椅子ステップの開閉機構。
【請求項２】
前記ステップの回転軸の根元近傍に固定される、板体又はブロック体からなる支持部材と、
前記支持部材から下方に延び、途中で略９０度に屈曲するパイプ体であって、当該屈曲部分が前記ステップより下に位置し、当該屈曲部分よりも上の部分が中心軸回りに回転可能に前記支持部材に固定される、前記第一連通路を形成する補助パイプと、
前記補助パイプを、前記屈曲部分が前記ワイヤーの前記ステップへの固定部分近傍から前記ステップの回転軸に近づくように回転する方向に付勢する弾性体からなる付勢部材と、
を有する請求項１に記載の車椅子ステップの開閉機構。
【請求項３】
前記補助パイプは前記支持ブロックに上下に移動可能に固定されるとともに、弾性体からなる下方付勢部材により下方側に付勢されるものである
請求項２に記載の車椅子の開閉機構。
【請求項４】
前記ワイヤーは一部が分断されるとともに、当該分断された各端部に肥大部が形成され、当該肥大部は通らず、前記ワイヤーは通る大きさの穴が形成されたリングが両端に設けられた筒体又は棒体からなる連結部材を介して、前記肥大部同士が向かい合うように、前記分断された各端部がそれぞれ前記各リングを通ることで、前記分断された各端部が連結されるものである
請求項１から３のいずれか１項に記載の車椅子ステップの開閉機構。
【請求項５】
前記ワイヤーは、前記第一連通路の前記開口と前記第二連通路の前記開口との間以外の少なくとも一部においてアウターチューブに挿入されているものである請求項１から４のいずれか１項に記載の車椅子ステップの開閉機構。
【請求項６】
第一のアウターチューブ及び第二のアウターチューブと、
両底部が塞がれた側面に長手方向に沿った長穴が形成される筒体であって、一方の底部が前記第一のアウターチューブの一端と連通するように固定され、他方の底部が前記第二のアウターチューブの一端と連通するように固定される操作シリンダーと、
前記第一のアウターチューブ、前記第二のアウターチューブ及び前記操作シリンダー内に挿入され、前記第一のアウターチューブの他端及び前記第二のアウターチューブの他端間において所定量が表出する長さを有するループ状に形成されるワイヤーと、
前記ワイヤーの表出部分に設けられる車椅子のステップを狭持して固定する固定具と、
前記操作シリンダー内において基端側が前記ワイヤーに固定されるとともに、先端側が前記長穴から表出する棒体からなる操作桿と
を有する車椅子ステップの開閉ユニット。
【請求項７】
板体又はブロック体からなる、前記第一のアウターチューブの他端近傍及び前記第二のアウターチューブの他端側を保持する支持部材と、
前記支持部材から先端側が下方に延び、途中で略９０度に屈曲するパイプ体であって、当該屈曲部分よりも上の一部が中心軸回りに回転可能に前記支持部材に固定される補助パイプであって、前記第一のアウターチューブの他端から表出する前記ワイヤーが基端側から通り先端側から表出する補助パイプと、
前記補助パイプを、一方の回転に対して戻るように付勢する弾性体からなる付勢部材と
を有する請求項６に記載の車椅子ステップの開閉ユニット。
【考案の詳細な説明】
【技術分野】
【０００１】
本考案は、車椅子ステップの開閉を、車椅子の使用車が手元で操作するための機構に関する。
【背景技術】
【０００２】
車椅子には、一般的に足を置くためのステップが設けられる。近年の車椅子のステップは左右に独立したステップが設けられ、それぞれのステップがステップ外方に設けられる進行方向に平行な回転軸回りに回転することで開く構造を有するものが多い。このような構造により、車椅子に腰掛ける直前や、車椅子から離れたりする際にはステップを開くことでステップが足の邪魔にならず、腰掛けた状態ではステップを閉じることで、足をステップ上に置くことができる。
このステップの操作は多くの場合、手でステップを直接持って行うが、障害者等で手がステップに届かないような場合は、介添えする人がいないとステップを動かすことができない。このような問題に対して、下記特許文献には、ステップをワイヤーや棒で遠隔操作できるように連結し、車椅子の使用者が手元で操作できるようにした考案が示されている。このような考案によれば、介添えする人がいなくても車椅子の使用者単独で容易にステップを開いたり、閉じたりすることができる。
【先行技術文献】
【特許文献】
【０００３】
【特許文献１】特開2008-188405号公報
【特許文献２】特開2010-162308号公報
【特許文献３】実開昭62-197329号公報
【考案の概要】
【考案が解決しようとする課題】
【０００４】
しかしながら、上記特許文献１、２に記載の考案はワイヤーで操作するものであるが、ステップを開くときにはワイヤーで引っ張り、閉じるときにはバネの力を利用するものであるため、バネを装着するといった改造が必要であり、開閉機構のない既存の車椅子に後から設置することは難しい。特許文献３に記載の考案は棒とリンク機構でステップを操作するので、バネを使う必要はないが、ワイヤーのように柔軟性がないので個別の車椅子ごとに設計し設置しなければならず、基本的に開閉機構のない既存の車椅子に後から設置することは難しい。
本考案は、このような問題に鑑みて、柔軟性のあるワイヤーによる車椅子の開閉機構において、既存の車椅子に改造を加えることなく設置できる構造を提供することを課題とする。
【課題を解決するための手段】
【０００５】
上記課題を解決するために、本考案は、次のような構成を有する。
請求項１に記載の考案は、車椅子のステップの回転軸よりも下方に開口が形成される穴からなる第一連通路と、前記ステップの回転軸よりも上方に開口が形成される穴からなる第二連通路と、前記第一連通路及び前記第二連通路を通り、当該第一連通路と当該第二連通路との間において、前記ステップの回転軸より先端側に一部が固定される、ループ状に形成されるワイヤーとを有する車椅子ステップの開閉機構である。
請求項２に記載の考案は、前記車椅子ステップの開閉機構において、前記ステップの回転軸の根元近傍に固定される、板体又はブロック体からなる支持部材と、前記支持部材から下方に延び、途中で略９０度に屈曲するパイプ体であって、当該屈曲部分が前記ステップより下に位置し、当該屈曲部分よりも上の部分が中心軸回りに回転可能に前記支持部材に固定される、前記第一連通路を形成する補助パイプと、前記補助パイプを、前記屈曲部分が前記ワイヤーの前記ステップへの固定部分近傍から前記ステップの回転軸に近づくように回転する方向に付勢する弾性体からなる付勢部材とを有するものである。
【０００６】
請求項３に記載の考案は、請求項２に記載の車椅子ステップの開閉機構において、前記補助パイプは前記支持ブロックに上下に移動可能に固定されるとともに、弾性体からなる下方付勢部材により下方側に付勢されるものである。
請求項４に記載の考案は、前記車椅子ステップの開閉機構において、前記ワイヤーは一部が分断されるとともに、当該分断された各端部に肥大部が形成され、当該肥大部は通らず、前記ワイヤーは通る大きさの穴が形成されたリングが両端に設けられた筒体又は棒体からなる連結部材を介して、前記肥大部同士が向かい合うように、前記分断された各端部がそれぞれ前記各リングを通ることで、前記分断された各端部が連結されるものである。
請求項５に記載の考案は、前記車椅子ステップの開閉機構において、前記ワイヤーは、前記第一連通路及び前記第二連通路の間以外の少なくとも一部においてアウターチューブに挿入されているものである。
【０００７】
請求項６に記載の考案は、第一のアウターチューブ及び第二のアウターチューブと、両底部が塞がれた側面に長手方向に沿った長穴が形成される筒体であって、一方の底部が前記第一のアウターチューブの一端と連通するように固定され、他方の底部が前記第二のアウターチューブの一端と連通するように固定される操作シリンダーと、前記第一のアウターチューブ、前記第二のアウターチューブ及び前記操作シリンダー内に挿入され、前記第一のアウターチューブの他端及び前記第二のアウターチューブの他端間において所定量が表出する長さを有するループ状に形成されるワイヤーと、前記ワイヤーの表出部分に設けられる車椅子のステップを狭持して固定する固定具と、前記操作シリンダー内において基端側が前記ワイヤーに固定されるとともに、先端側が前記長穴から表出する棒体からなる操作桿とを有する車椅子ステップの開閉ユニットである。
請求項７に記載の考案は、前記車椅子ステップの開閉ユニットにおいて、板体又はブロック体からなる、前記第一のアウターチューブの他端近傍及び前記第二のアウターチューブの他端側を保持する支持部材と、前記支持部材から先端側が下方に延び、途中で略９０度に屈曲するパイプ体であって、当該屈曲部分よりも上のパイプ体が中心軸回りに回転可能に前記支持部材に固定される補助パイプであって、前記第一のアウターチューブの他端から表出する前記ワイヤーが基端側から通り先端側から表出する補助パイプと、  前記補助パイプを、一方の回転に対して戻るように付勢する弾性体からなる付勢部材とを有するものである。
【考案の効果】
【０００８】
以上のような構成により、本考案は次のような効果を奏する。
請求項１に記載の考案は、ワイヤーがループ状に形成されることで、ステップが閉じた状態からワイヤーのステップに固定されている部分が第二連通路の開口に向かうようにワイヤーを動かすとステップが開き、この状態からワイヤーのステップに固定されている部分が第一連通路の開口に向かうようにワイヤーを逆方向に動かすとステップが閉じるように操作することができる。すなわち、ステップの開閉のいずれの動作もワイヤーを引くことで行うので、操作が単純で誰でも容易に使用できる。
請求項２に記載の考案は、ステップが開いた状態において、補助パイプは付勢部材により回転軸に近づく位置に位置づけられるのでステップが開いた状態において乗降の邪魔にならない。そして、ステップが閉じる際には、補助パイプの開口部が、ワイヤーがステップに固定された部分に近づくよう補助パイプが回動し、開口部がステップの回転軸から離れることでステップを引く力が小さくて済むようになるので、スムーズにステップを開くことができる。
【０００９】
請求項３に記載の考案は、補助パイプが上下動するとともに下方付勢部材により下方側に付勢されることで、補助パイプが段差などに当たって下から突き上げられても、補助パイプは上方に移動して下方付勢部材により衝撃を吸収するので補助パイプの破損を抑制することができる。
請求項４に記載の考案は、連結部材を持ってワイヤーを操作すると、引っ張った側と反対側にワイヤーの遊びが形成されるので、誤ってワイヤーを引っ掛けることなどにより強い衝撃が掛かっても、これを遊びによって緩和でき、ワイヤー切断等を抑制することができる。また、補助パイプを有する場合には、補助パイプの回転動作をスムーズに行うことができる。
請求項５に記載の考案は、ワイヤーをアウターチューブに挿入することで、アウターチューブに挿入された部分はワイヤーを張る必要がないために、車椅子本体に固定する際の自由度を高めることができる。
【００１０】
請求項６に記載の考案は、第一のアウターチューブの他端を車椅子のステップの回転軸よりも下方に、第二のアウターチューブの他端を車椅子のステップの回転軸よりも上方に位置するように各アウターチューブを車椅子のフレームに締結等の手段により固定し、固定具をステップに固定し、操作シリンダーを車椅子のフレームの適当な位置に固定することで、請求項１に記載の車椅子ステップの開閉機構を、一般的な車椅子に設けることが可能となる。
請求項７に記載の考案は、支持部材を補助パイプが付勢部材に力が掛かっていない状態でステップの回転軸下方に、回転軸方向を向くように固定すれば、請求項２に記載の車椅子ステップの開閉機構を、一般的な車椅子に設けることが可能となる。
【図面の簡単な説明】
【００１１】
【図１】本実施形態に係る車椅子ステップの開壁ユニットの斜視図である。
【図２】操作シリンダー部分の縦断面図である。
【図３】支持部材近傍の正面図である。
【図４】車椅子ステップの開壁ユニットを車椅子に固定した状態を示す斜視図である。
【図５】(ａ1)はステップが閉じた状態のステップ近傍を内側から見た側面図であり、（ｂ1）はステップが閉じた状態のステップ近傍を下から見た底面図である。(ａ2)はステップが開いた状態のステップ近傍を内側から見た側面図であり、（ｂ2）はステップが開いた状態のステップ近傍を下から見た底面図である。
【図６】（ａ）〜（ｄ）は操作桿の移動にともなう操作シリンダー内の動きを示す操作シリンダーの縦断面図である。
【考案を実施するための形態】
【００１２】
以下、本考案の実施の形態について、図面を参照しながら説明する。
図１に本実施形態に係る車椅子ステップの開閉ユニットＸの斜視図を示す。車椅子ステップの開閉ユニットＸは、ワイヤー１０、第一アウターチューブ２０、第二アウターチューブ３０、操作ユニット４０、支持部材５０、補助管６０、ステップ狭持固定体７０を有する。
ワイヤー１０は両端が固定されることでループ状に形成される金属製のワイヤーである。ワイヤー１０の両端は後述するように操作ユニット４０内で連結固定されている。
【００１３】
操作ユニット４０は、両底が閉じられた円筒体からなる操作シリンダー４１、操作シリンダー４１内を移動するピストン部４２、ピストン部４２に固定される操作桿４３より形成される。操作シリンダー４１の側面には長手方向に沿って長穴４１ａが形成される。ピストン部４２は操作シリンダー４１内をスムーズに摺動できる大きさを有する円筒体により形成される。図２に操作シリンダー４１近傍の縦断面図を示す。図に示すようにピストン部４２には中心軸回りに穴４２ａが形成されている。穴４２ａは両開口部に内フランジによりリングが形成されることで、両端部は内部よりも内径が小さくなっている。なお、両端部の内径はワイヤー１０は十分に通ることができる程度の大きさに設定される。図２に示すように、ピストン部４２の穴にはワイヤー１０の両端が通るとともに、ワイヤー１０の端部には、ピストン部４２の両端の穴を通らない大きさの円筒状の膨大部材１１が固定される。これにより、ワイヤー部１０はピストン部４２から抜けることができず、ワイヤー部１０の端部同士はピストン部４２により連結されることとなる。即ち、ピストン部４２は、ワイヤー部１０の端部同士を連結する連結部材を構成する。操作桿４３は、ピストン部４２の側面に基端が固定される棒体で、操作シリンダー４１の長穴４１ａを通って外部に突出し、先端に球状の握り玉４３ａが固定される。
【００１４】
図３に支持部材５０近傍の正面図を示す。支持部材５０は、縦長の細長い長方形状の板体から形成される。支持部材５０は下方の一方の角部から上方に大きな切り欠きが形成されることで左右の一方側が長く、他方側が短く形成される。なお、後述する図４に示すように取り付けたときに、この形状によって車椅子前輪の固定軸に対する回転を妨げないようにすることができる。そして、支持部材５０の左右に長く形成される側にはやや長い、ワイヤー１０が通るパイプ５１が上端から長手方向に沿って固定され、短く形成される側にはやや短い、ワイヤー１０が通るパイプ５２が上端から長手方向に沿って固定される。短いほうのパイプ５２の下端側には、別のパイプ５３が嵌入固定され、パイプ５３は下端側で支持部材５０の背面側に屈曲し、当該位置に支持部材５０に形成された穴から背面側に突出する。ワイヤー１０はこのパイプを通って支持部材５０の背面側に表出する。また、支持部材５０には、各パイプに干渉されない位置に複数の貫通孔５４が形成される。
【００１５】
補助管６０は、支持部材５０の長い方のパイプの下端側に回転可能に挿入されるパイプ体であって、支持部材５０よりも下方位置で９０度に屈曲している。支持部材５０にはねじりバネと圧縮バネを兼用する２つのバネ６１が設けられる。各バネ６１の一方の端部は補助管６０に固定され、他方の端部は支持部材に固定されることで補助管６０は支持部材５０に固定される。バネ６１に力が加わっていない状態において、補助管６０の下端は図３に示すように支持部材５０の表面に平行に、短い方のパイプ５２から長い方のパイプ５１へ向かう方向を向くように設定される。また、バネ６１が圧縮バネの機能を果たすことで、補助管６０が下方から衝撃を受けた場合に、補助管６０は上方に移動してこの衝撃を緩和できるので、補助管６０の破損等を抑制することができる。
【００１６】
第一アウターチューブ２０は前記ワイヤー１０が内部を摺動する穴が形成されたワイヤー１０が通る柔軟なパイプ体であり、一端が操作シリンダーの一方の底面に固定され、他端側は支持部材５０の長い方のパイプ５１の上端から挿入され補助管６０の下端部に至っている。第二アウターチューブ３０は前記ワイヤー１０が内部を摺動する穴が形成されたワイヤー１０が通る柔軟なパイプ体であり、一端が操作シリンダーの他方の底面に固定され、他端側は支持部材５０の短い方のパイプ５２の上端から挿入され、パイプ５３の開口端に至っている。
ステップ狭持固定体７０は、補助管６０の開口部と、支持部材５０の背面側のパイプ５３の開口部間に表出するワイヤー１０に固定される金具であって、断面コの字状に曲げられた板体の一側面にネジ穴を設け、このネジ穴につまみネジを係合させたものである。そして、ワイヤー１０はステップ狭持固定体７０の側面部分に固定される。
【００１７】
次に、以上のような構成を有する車椅子ステップの開閉ユニットＸの使用方法について説明する。まず、使用者は図４に示すように車椅子ステップの開閉ユニットＸを車椅子Ｗに固定する。具体的には、操作シリンダー４１を面ファスナーテープＦで車椅子Ｗの肘掛の下に固定し、第一アウターチューブ２０、第二アウターチューブ３０、支持部材５０を車椅子Ｗのフレームに結束バンドＴで固定する。支持部材５０は補助管６０が車椅子Ｗの前方に位置し、車椅子Ｗの進行方向に平行になるように、いくつかの貫通孔５４に結束バンドＴを通して固定する。この際、補助管６０の屈曲部が車椅子ＷのステップＳよりも下の位置となるようにする。さらに、車椅子ＷのステップＳの下面の後ろ側の外縁に、ステップ狭持固定体７０を狭持させて固定する。なお、操作シリンダー４１と車椅子Ｗの肘掛との間には滑り止めのためのゴムシートを挟むことが望ましい。図４では車椅子Ｗの使用者からみて左側のみに車椅子ステップの開閉ユニットＸを装着しているが、同様にして車椅子の反対側にも車椅子ステップの開閉ユニットＸを固定する。なお、左右に設置される車椅子ステップの開閉ユニットＸは互いに鏡面対称に形成される。以上のように取り付けることで、車椅子Ｗには本実施形態に係る車椅子ステップの開閉機構が形成される。
【００１８】
以上のように装着された車椅子ステップの開閉ユニットＸは、操作ユニット４０の操作桿４３を操作シリンダー４１の長穴４１ａに沿って移動させることで車椅子ＷのステップＳを開閉動させることができる。具体的な動作を以下に説明する。ワイヤー１０はループ状になっているので、操作桿４３の移動にともなって回転するように移動する。図５（ａ1）にステップＳが閉じた状態における、ステップＳを内側から見た側面図を示し、図５（ｂ1）に同じ状態の、ステップＳを下から見た底面図を示す。この状態は操作桿４３の操作によりワイヤー１０が、補助管６０の開口に入るように移動し、これによってステップＳに固定されたステップ狭持固定体７０が補助管６０の開口に近づくよう引っ張られることで、ステップＳが閉じたものである。この状態において補助管６０にはステップ狭持固定体７０に相対的に近づくような力が発生するので補助管６０はバネ６１に抗して回動し、ステップの回転軸に対してほぼ９０度回転する。この状態から操作桿４３を操作して、ワイヤー１０が補助管６０の開口から出るようにワイヤー１０を動かすと、ステップＳに固定されたステップ狭持固定体７０は支持部材５０の背面に表出するパイプ５３の開口に近づくように引っ張られ、ステップは開いた状態となる。図５（ａ2）にステップＳが開いた状態における、ステップＳを内側から見た側面図を示し、図５（ｂ2）に同じ状態の、ステップＳを下から見た底面図を示す。この状態において補助管６０とステップ狭持固定体７０との間は離れて、補助管６０の開口をステップ狭持固定体７０に近づける拘束力がなくなるので、補助管６０はバネ６１によって回動し、ステップＳの回転軸に沿うように回転する。なお、図５（ａ2）（ｂ2）では、補助管６０はステップＳの回転軸に平行になっていないが、これはワイヤー１０の長さ次第であり、ワイヤー１０がさらに長い場合は補助管６０はもう少し回転してステップＳの回転軸と平行となり得る。いずれにせよ、この状態で補助管６０の屈曲部は、ステップの回転軸のほぼ下に隠れるのでステップＳが開いた状態において、補助管６０の屈曲部が邪魔になることがない。さらに、図５（ａ2）（ｂ2）に示すステップが開いた状態から、図５（ａ1）（ｂ1）に示すステップが閉じた状態に移行する際には、上述したように補助管６０の屈曲部が回転することで、ワイヤー１０がステップ狭持固定体７０を引く力の真下に向かうベクトル成分が増大するのでステップＳをよりスムーズに閉じることができる。
【００１９】
さらに、ワイヤー１０が操作桿４３に固定されるピストン部４２内で分断されていることで、ワイヤー１０に遊びを設けることできる。具体的な動作を図６（ａ）〜（ｄ）を用いて説明する。図６は操作シリンダー４１の縦断面図である。図６（ａ）はワイヤー１０がピストン部４２により右方向に引っ張られている状態を示している。この状態で左側のワイヤーはテンションがかかった状態となるが、右側のワイヤーはピストン部４２の穴４２ａにおいて膨大部材１１が右側に移動できる遊びが形成される。この状態から操作桿４３を操作してピストン部４２を左方向に移動させると、まず、図６（ｂ）に示すようにワイヤー１０が動かずに遊び分ピストン部４２のみが動いて、ワイヤーの膨大部１１がピストン部４２の穴４２ａの右側の端部に達する。この状態からピストン部４２を図６（ｃ）に示すようにさらに左側に移動させると、右側のワイヤー１０が左側に引かれ、左側のワイヤー１０はループしているので右側のワイヤー１０が引かれることで、やはり左側に引かれる。そして、ピストン部４２はステップが完全に開いた状態もしくは閉じた状態まで移動できる。この状態を図６（ｄ）に示す。この状態では、右側のワイヤーはテンションがかかった状態となるが、左側のワイヤーはピストン部４２の穴４２において膨大部材１１が左側へ移動できる遊びが形成される。
この遊びによって、上述したステップＳを開閉させる動作をよりスムーズにすることができる。つまり、ステップＳの開閉に伴う補助管６０の回動によって、補助管６０の開口から支持部材５０のパイプ５３の開口までの間に表出するワイヤー１０の長さは通常は一定にならない。このため、補助管６０の回転の途中で引っかかり生じ、補助管等の撓みによって引っかかりを越える必要が生じる。しかし、遊びを設けることで引っかかりが生じる部分からワイヤー１０が繰り出され、実際には引っ掛かりは生じず、補助管６０はスムーズに回転するので、ステップＳをスムーズに開閉することが可能となる。また、遊びを設けることで、引っ張られていない側のワイヤー１０を、踏む等によって急なテンションを掛けても遊びによって緩衝できるので、ワイヤー１０が切れる恐れを低減することができる。
【００２０】
以上のような構成により、本実施形態に係る車椅子ステップの開閉機構は、ワイヤーをループさせることで、ステップを閉じる動作及びステップを開く動作にいずれも一本のワイヤーを引くことにより行えるので、ステップを閉じるためにバネなどを必要とせず、閉じる回転方向に抵抗のあるステップでも楽に閉じることができる。
さらに、本実施形態に係る車椅子ステップの開閉ユニットは、溶接やねじ止めで固定する必要が無く、一般的な車椅子に後付で固定できるので、貸し出された車椅子やレンタルの車椅子であっても取り付けて使用することが可能である。
【００２１】
なお、上記実施形態では車椅子ステップの開閉ユニットの操作ユニットを車椅子の両側にそれぞれ設置するようにしているが、アウターチューブとこれに挿入されるワイヤーは自由に長さを変えることができるので、一方のアウターチューブ及びワイヤーを延長することで、二つの操作ユニットを車椅子の片側に設置することもできる。このようにすることで、左右いずれかの半身麻痺を持つ利用者でも、操作できる片側のみで両方のステップの開閉操作を自分で行うことが可能となる。
また、上記実施形態では操作ユニットをシリンダーに対して平行移動する操作桿により操作するように形成しているが、一点を中心に回転するレバー等によって操作するようにしてもよい。
さらに、車椅子ステップの開閉ユニットＸの車椅子への取り付け方は適宜変更が可能であり、専用の金具等で固定するようにしてもよい。
【符号の説明】
【００２２】
Ｘ  車椅子ステップの開閉ユニット
Ｗ  車椅子
Ｓ  ステップ
１０  ワイヤー
２０  第一アウターチューブ
３０  第二アウターチューブ
４０  操作ユニット
４１  操作シリンダー
４２  ピストン部
４３  操作桿
５０  支持部材
６０  補助管
６１  バネ
７０  ステップ狭持固定体
【図１】
0003190717.tif 000003
【図２】
0003190717.tif 000004
【図３】
0003190717.tif 000005
【図４】
0003190717.tif 000006
【図５】
0003190717.tif 000007
【図６】
0003190717.tif 000008